(57)【要約】【課題】蓄電池の再利用の用途の選択肢を広げる。【解決手段】蓄電池用途選択装置は、蓄電池の利用状況に応じた複数種類の用途のうちの判定対象の蓄電池の現用途と、前記現用途において前記判定対象の蓄電池が運転された状況が示す判定条件とに基づいて、前記複数種類の用途のうちの前記現用途以外の用途を、前記判定対象の蓄電池の新用途として選択する選択処理を実行する用途選択部を備え、前記用途選択部は、前記蓄電池の運転時間が所定の時間を経過した場合に前記選択処理を実行する。【選択図】図６
2019175866.tif 000002
【特許請求の範囲】
【請求項１】
蓄電池の利用状況に応じた複数種類の用途のうちの判定対象の蓄電池の現用途と、前記現用途において前記判定対象の蓄電池が運転された状況が示す判定条件とに基づいて、前記複数種類の用途のうちの前記現用途以外の用途を、前記判定対象の蓄電池の新用途として選択する選択処理を実行する用途選択部を備え、
前記用途選択部は、
前記蓄電池の運転時間が所定の時間を経過した場合に前記選択処理を実行する
蓄電池用途選択装置。
【請求項２】
前記用途選択部は、前記判定対象の蓄電池の用途に応じて設定されている前記所定の時間を経過した場合に前記選択処理を実行する、
請求項１に記載の蓄電池用途選択装置。
【請求項３】
前記用途選択部は、前記判定対象の蓄電池の充電可能容量と運転時間との関係を示す充電可能容量波形に基づいて設定されている前記所定の時間を経過した場合に前記選択処理を実行する、
請求項１又は請求項２に記載の蓄電池用途選択装置。
【請求項４】
コンピュータに、
蓄電池の利用状況に応じた複数種類の用途のうちの判定対象の蓄電池の現用途と、前記現用途において前記判定対象の蓄電池が運転された状況が示す判定条件とに基づいて、前記複数種類の用途のうちの前記現用途以外の用途を、前記判定対象の蓄電池の新用途として選択する選択処理を実行する用途選択機能を実行させ、
前記用途選択機能は、
前記蓄電池の運転時間が所定の時間を経過した場合に前記選択処理を実行する
プログラム。
【発明の詳細な説明】
【技術分野】
【０００１】
本発明は、蓄電池用途選択装置及びプログラムに関する。
【背景技術】
【０００２】
従来、蓄電池の運転状況に基づいて蓄電池の状態を分類することにより、劣化した蓄電池の再利用（リユース）の円滑化、効率化を図る技術が提案されている（例えば、特許文献１）。
【先行技術文献】
【特許文献】
【０００３】
【特許文献１】特開２０１１−１４６３８９号公報
【発明の概要】
【発明が解決しようとする課題】
【０００４】
しかしながら、特許文献１に記載されるような従来の技術においては、蓄電池の運転状況が蓄電池ごとに大幅に異なるため、再利用のための分類が困難となり、再利用の用途の選択肢が狭まる場合があるという問題があった。
本発明は上記の点に鑑みてなされたものであり、蓄電池の再利用の用途の選択肢を広げることができる蓄電池用途選択装置及びプログラムを提供する。
【課題を解決するための手段】
【０００５】
本発明の一態様は、蓄電池の利用状況に応じた複数種類の用途のうちの判定対象の蓄電池の現用途と、前記現用途において前記判定対象の蓄電池が運転された状況が示す判定条件とに基づいて、前記複数種類の用途のうちの前記現用途以外の用途を、前記判定対象の蓄電池の新用途として選択する選択処理を実行する用途選択部を備え、前記用途選択部は、前記蓄電池の運転時間が所定の時間を経過した場合に前記選択処理を実行する蓄電池用途選択装置である。
【０００６】
また、本発明の一態様の蓄電池用途選択装置において、前記用途選択部は、前記判定対象の蓄電池の用途に応じて設定されている前記所定の時間を経過した場合に前記選択処理を実行する。
【０００７】
また、本発明の一態様の蓄電池用途選択装置において、前記用途選択部は、前記判定対象の蓄電池の充電可能容量と運転時間との関係を示す充電可能容量波形に基づいて設定されている前記所定の時間を経過した場合に前記選択処理を実行する。
【０００８】
また、本発明の一態様は、コンピュータに、蓄電池の利用状況に応じた複数種類の用途のうちの判定対象の蓄電池の現用途と、前記現用途において前記判定対象の蓄電池が運転された状況が示す判定条件とに基づいて、前記複数種類の用途のうちの前記現用途以外の用途を、前記判定対象の蓄電池の新用途として選択する選択処理を実行する用途選択機能を実行させ、前記用途選択機能は、前記蓄電池の運転時間が所定の時間を経過した場合に前記選択処理を実行するプログラムである。
【発明の効果】
【０００９】
本発明によれば、蓄電池の再利用の用途の選択肢を広げることができる。
【図面の簡単な説明】
【００１０】
【図１】本実施形態の蓄電池用途判定システムの判定対象である蓄電装置ＥＳＤの構成の一例を示す図である。
【図２】本実施形態の第１の蓄電装置の出力特性の一例を示す図である。
【図３】本実施形態の第２の蓄電装置の出力特性の一例を示す図である。
【図４】本実施形態の第３の蓄電装置の出力特性の一例を示す図である。
【図５】本実施形態の蓄電装置によるピークカット動作波形の一例を示す図である。
【図６】本実施形態の蓄電池用途判定システムの構成の一例を示す図である。
【図７】本実施形態の蓄電池運転履歴記憶部に記憶されている蓄電池運転履歴情報の一例を示す図である。
【図８】蓄電池用途記憶部に記憶されている蓄電池用途情報の一例を示す図である。
【図９】本実施形態の蓄電池用途選択装置の動作の一例を示す図である。
【図１０】本実施形態の用途選択部による用途選択の例を示す図である。
【発明を実施するための形態】
【００１１】
［実施形態］
以下、図面を参照して、本発明に係る蓄電池用途判定システム１の一実施形態について説明する。まず、図１を参照して、蓄電池用途判定システム１の判定対象である蓄電装置ＥＳＤについて説明する。
図１は、本実施形態の蓄電池用途判定システム１の判定対象である蓄電装置ＥＳＤの構成の一例を示す図である。蓄電装置ＥＳＤは、蓄電池ＢＣを備えており、電力の供給対象の装置に電力を供給する。また、蓄電装置ＥＳＤは、外部から供給される電力によって蓄電（充電）される。
蓄電装置ＥＳＤは、外部から電力が供給される場合に充電され、外部から電力が供給されない場合に放電する。例えば、蓄電装置ＥＳＤは、停電などにより外部からの電力供給が停止された場合に、電力を放電することにより、電力の供給対象の装置を稼働させ続けることができる。つまり、蓄電装置ＥＳＤは、長期停電、短期停電、瞬時停電などに対する電力のバックアップを行うことができる。
また、蓄電装置ＥＳＤは、外部からの電力供給に余裕がある場合に充電され、外部からの電力供給に余裕が無い場合に放電する。例えば、蓄電装置ＥＳＤは、電力需要の少ない夜間に電力が充電され、電力需要の多い昼間に電力を放電することにより、電力の消費の平準化を行うことができる。つまり、蓄電装置ＥＳＤは、電力のいわゆるピークカットや、いわゆるピークシフトを行うことができる。
【００１２】
［蓄電装置ＥＳＤの種類］
蓄電装置ＥＳＤは、備える蓄電池ＢＣの数や充電方式などに応じて、様々な用途に適用できる。この一例では、蓄電装置ＥＳＤには、蓄電装置ＥＳＤ１と、蓄電装置ＥＳＤ２と、蓄電装置ＥＳＤ３とがある。
【００１３】
［蓄電装置ＥＳＤの種類：その１（長時間停電対応用）］
蓄電装置ＥＳＤ１は、互いに直列及び並列に接続された１０００個から１００００個程度の蓄電池ＢＣを備える。図１（Ａ）に示す一例では、蓄電装置ＥＳＤ１は、蓄電池ＢＣ１−１から蓄電池ＢＣ１−１００００までの１００００個の蓄電池ＢＣを備える。また、この一例では、蓄電装置ＥＳＤ１は、発電所等に備えられ、長期停電対応用途に用いられる。ここで、長期停電とは、数時間（例えば、１０時間）程度の停電をいう。
【００１４】
図２は、本実施形態の蓄電装置ＥＳＤ１の出力特性の一例を示す図である。蓄電装置ＥＳＤ１は、停電時において、発電所を制御するための補機電力Ｐ１−１と、発電所が供給するべき電力を補償する停電補償電力Ｐ１−２とを出力する。補機電力Ｐ１−１の波形の一例を電力波形Ｗ１１に示す。停電補償電力Ｐ１−２の波形の一例を電力波形Ｗ１２に示す。この一例では、蓄電装置ＥＳＤ１は、停電が発生した場合に備え、補機電力Ｐ１−１と、停電補償電力Ｐ１−２とを１０時間、出力し続けることができる。
【００１５】
なお、ここでは蓄電装置ＥＳＤ１が発電所に備えられる場合を一例にして説明するが、これに限られない。蓄電装置ＥＳＤ１は、比較的大きな電力を比較的長時間出力し続ける用途に用いられる。蓄電装置ＥＳＤ１は、例えば、工場や大規模商業施設などに設置されていてもよい。
【００１６】
［蓄電装置ＥＳＤの種類：その２（短時間停電対応用）］
蓄電装置ＥＳＤ２は、互いに直列及び並列に接続された１０個から１００個程度の蓄電池ＢＣを備える。図１（Ｂ）に示す一例では、蓄電装置ＥＳＤ２は、蓄電池ＢＣ２−１から蓄電池ＢＣ２−５０までの５０個の蓄電池ＢＣを備える。この一例では、蓄電装置ＥＳＤ２は、変電所等に備えられ、短期停電対応用途に用いられる。ここで、短期停電とは、数十分（例えば、６０分）程度の停電をいう。
【００１７】
図３は、本実施形態の蓄電装置ＥＳＤ２の出力特性の一例を示す図である。蓄電装置ＥＳＤ２は、停電時において、変電所を制御するための補機電力Ｐ２−１と、変電所が供給するべき電力を補償する停電補償電力Ｐ２−２とを出力する。また、蓄電装置ＥＳＤは、停電時において、変電所内の遮断器や断路器等の機器を動作させるための動力用電力Ｐ２−３を出力する。補機電力Ｐ２−１の波形の一例を電力波形Ｗ２１に示す。停電補償電力Ｐ２−２の波形の一例を電力波形Ｗ２２に示す。動力用電力Ｐ２−３の波形の一例を電力波形Ｗ２３に示す。この一例では、蓄電装置ＥＳＤ２は、短期停電が発生した場合に備え、補機電力Ｐ２−１と、停電補償電力Ｐ２−２とを６０分間、出力し続けることができる。また、蓄電装置ＥＳＤ２は、動力用電力Ｐ２−３を遮断器や断路器等の機器の動作に伴って出力する。
【００１８】
なお、ここでは蓄電装置ＥＳＤ２が変電所に備えられる場合を一例にして説明するが、これに限られない。蓄電装置ＥＳＤ２は、蓄電装置ＥＳＤ１に比較して小さな電力を比較的短時間出力し続ける用途に用いられる。蓄電装置ＥＳＤ２は、例えば、オフィスビルやコンビニエンスストア等の商業施設などに設置されていてもよい。
【００１９】
［蓄電装置ＥＳＤの種類：その３（短時間停電及び瞬時停電対応用）］
蓄電装置ＥＳＤ３は、数個程度の蓄電池ＢＣを備える。図１（Ｃ）に示す一例では、蓄電装置ＥＳＤ３は、蓄電池ＢＣ３−１の１個の蓄電池ＢＣを備える。この一例では、蓄電装置ＥＳＤ３は、オフィスビルの机上などに備えられ、パーソナルコンピュータをバックアップする瞬時停電対応用途に用いられる。ここで、短時間停電とは、１〜１０分程度の停電をいう。また、瞬時停電とは数ミリ秒から数秒程度の停電をいう。
【００２０】
図４は、本実施形態の蓄電装置ＥＳＤ３の出力特性の一例を示す図である。蓄電装置ＥＳＤ３は、停電時において、パーソナルコンピュータを動作させるための動作電力Ｐ３−１を出力する。動作電力Ｐ３−１の波形の一例を電力波形Ｗ３１に示す。この一例では、蓄電装置ＥＳＤ３は、短時間停電及び瞬時停電が発生した場合に備え、動作電力Ｐ３−１を１０分間、出力し続けることができる。
【００２１】
なお、ここでは蓄電装置ＥＳＤ３がパーソナルコンピュータ用の電力バックアップ装置である場合を一例にして説明するが、これに限られない。
【００２２】
これまで説明した蓄電装置ＥＳＤ１、蓄電装置ＥＳＤ２及び蓄電装置ＥＳＤ３は、いわゆるフロート充電方式、又はいわゆるトリクル充電方式によって充電される。したがって、これら蓄電装置ＥＳＤ１〜３の充電率は、停電が発生していない場合には、充電可能容量の１００％程度に維持される。蓄電装置ＥＳＤ１〜３は、停電が発生しなければ、充電率に変動がほとんどなく、充放電深度が浅い。
【００２３】
［蓄電装置ＥＳＤの種類：その４（ピークカット用）］
なお、蓄電装置ＥＳＤは、ピークカット（又はピークシフト）用途に利用することもできる。
図５は、本実施形態の蓄電装置ＥＳＤによるピークカット動作波形の一例を示す図である。蓄電装置ＥＳＤは、消費電力Ｐ４−１がしきい値ＴｈＰ１を下回っている場合、外部から供給される電力によって充電される。図５に示す一例では、蓄電装置ＥＳＤは、充電電力Ｐ４−２及び充電電力Ｐ４−３によって充電される。この充電により、蓄電装置ＥＳＤの充電率は、上昇する。また、蓄電装置ＥＳＤは、消費電力Ｐ４−１がしきい値ＴｈＰ２を上回っている場合、消費電力Ｐ４−１を賄うために放電する。この一例では、蓄電装置ＥＳＤは、放電電力Ｐ４−４及び放電電力Ｐ４−５を放電する。この放電により、蓄電装置ＥＳＤの充電率は、低下する。
【００２４】
ここで説明した蓄電装置ＥＳＤは、いわゆるサイクル充電方式によって充電される。つまり、この蓄電装置ＥＳＤの充電率は、電力の充放電に伴って上昇又は低下する。すなわち、この蓄電装置ＥＳＤの充放電深度は、上述したフロート充電方式又はトリクル充電方式による蓄電装置ＥＳＤに比べて、深い。
【００２５】
［蓄電池ＢＣの充電可能容量の変化要因］
蓄電装置ＥＳＤが備える蓄電池ＢＣの充電可能な電力容量、すなわち充電可能容量は、蓄電池ＢＣの運転状況に応じて変動する。この蓄電池ＢＣの充電可能容量の変動の幅は、様々な要因によって変化する。ここで、充電可能容量の変化には、充電可能容量が増加する場合と、充電可能容量が減少する場合、すなわち劣化する場合とがある。
【００２６】
蓄電池ＢＣは、当該蓄電池ＢＣが運転されている運転時間の差によって、充電可能容量の変動幅が相違することがある。例えば、長時間運転されている蓄電池ＢＣは、短時間運転されている蓄電池ＢＣよりも劣化の度合いが大きい。
また、蓄電池ＢＣは、当該蓄電池ＢＣが運転されている環境の温度の差によって、充電可能容量の変化幅が相違することがある。例えば、高温環境において運転されている蓄電池ＢＣは、低温環境において運転されている蓄電池ＢＣよりも劣化の度合いが大きい。
また、蓄電池ＢＣは、当該蓄電池ＢＣの充放電サイクル数の差によって、充電可能容量の変化幅が相違することがある。例えば、充放電サイクル数が多い蓄電池ＢＣは、充放電サイクル数が少ない蓄電池ＢＣよりも劣化の度合いが大きい。
したがって、初期充電可能容量が互いに同一の蓄電池ＢＣであっても、それぞれの運転状況が互いに異なれば、蓄電池ＢＣの運転後において、蓄電池ＢＣの充電可能容量が相違する場合がある。
【００２７】
蓄電池ＢＣの再利用にあたっては、蓄電池ＢＣの残性能を把握することが求められる。この蓄電池ＢＣの残性能は、例えば、蓄電池ＢＣの充電可能容量を推定することにより求めることができる。蓄電池ＢＣの充電可能容量の推定を行う場合には、蓄電池ＢＣが運転されている状況を正確に把握することが好ましい。
ここで、初期充電可能容量が互いに同一の蓄電池ＢＣが、同一の運転状況によって運転された場合には、これら蓄電池ＢＣの充電可能容量は、互いに同じように変動するといえる。蓄電装置ＥＳＤは、上述したように複数の蓄電池ＢＣを備えている。１つの蓄電装置ＥＳＤに備えられている複数の蓄電池ＢＣは、同一の運転状況において運転される。つまり、これら複数の蓄電池ＢＣの充電可能容量は、互いに同じように変動する。
したがって、蓄電池ＢＣの再利用にあたって、蓄電装置ＥＳＤの残性能を把握する場合に、蓄電装置ＥＳＤの残性能を把握すれば、この蓄電装置ＥＳＤが備える多数の蓄電池ＢＣの残性能を同時に把握することができる。また、蓄電装置ＥＳＤの残性能を把握できた場合に、この蓄電装置ＥＳＤが備える蓄電池ＢＣを、小分けにして再利用することにより、残性能の揃った蓄電池ＢＣを再利用することができる。
【００２８】
次に、この蓄電池ＢＣを再利用する場合の用途を、蓄電池ＢＣの運転履歴に基づいて選択する蓄電池用途判定システム１の構成について説明する。
【００２９】
［蓄電池用途判定システム１の構成］
図６は、本実施形態の蓄電池用途判定システム１の構成の一例を示す図である。蓄電池用途判定システム１は、蓄電池用途選択装置１０と、蓄電池情報取得装置２０と、蓄電池運転履歴記憶部３０と、蓄電池用途記憶部４０と、表示装置５０とを備える。
【００３０】
蓄電池情報取得装置２０は、蓄電装置ＥＳＤが備える蓄電池ＢＣの情報を取得する。ここで、蓄電池ＢＣの情報とは、例えば、蓄電池ＢＣを識別するための蓄電池ＩＤである。この蓄電池ＩＤには、蓄電池ＢＣの製造番号を示すバーコードなどが含まれる場合がある。この場合、蓄電池情報取得装置２０は、バーコードリーダーを備えており、蓄電池ＢＣの外装に記載されている蓄電池ＩＤのバーコードを読み取る。
なお、蓄電池情報取得装置２０は、バーコードリーダーに代えて又は加えて、キーボードなどの入力デバイスを備えていてもよい。この場合には、蓄電池情報取得装置２０は、キーボードに入力された蓄電池ＩＤを取得してもよい。
【００３１】
蓄電池運転履歴記憶部３０には、蓄電池ＢＣの運転履歴を示す蓄電池運転履歴情報ＯＨが記憶されている。この蓄電池運転履歴情報ＯＨの一例について、図７を参照して説明する。
図７は、本実施形態の蓄電池運転履歴記憶部３０に記憶されている蓄電池運転履歴情報ＯＨの一例を示す図である。蓄電池運転履歴記憶部３０には、蓄電池ＩＤと、蓄電池ＢＣの現用途と、現用途での蓄電池ＢＣの運転時間と、蓄電池ＢＣの総運転時間と、蓄電池ＢＣの運転環境温度と、蓄電池ＢＣの充放電サイクル数と、蓄電池ＢＣの出力電圧変化量とが互いに関連付けられて、蓄電池運転履歴情報ＯＨとして記憶されている。
【００３２】
ここで、蓄電池ＢＣの現用途とは、蓄電池ＢＣの現在の用途である。この蓄電池ＢＣの用途は、蓄電池用途記憶部４０に蓄電池用途情報ＵＡとして記憶されている。ここで蓄電池用途情報ＵＡの一例について、図８を参照して説明する。
【００３３】
図８は、蓄電池用途記憶部４０に記憶されている蓄電池用途情報ＵＡの一例を示す図である。この一例において、蓄電池ＢＣの用途には、長期停電バックアップ用と、ピークカット用と、短期停電バックアップ用と、瞬時停電補償用とがある。また、蓄電池用途記憶部４０には、蓄電池ＢＣの用途と、蓄電池ＢＣの直列接続数と、蓄電池ＢＣの出力継続時間と、蓄電池ＢＣの充放電深度と、蓄電池ＢＣの許容容量とが互いに関連付けられて、蓄電池用途情報ＵＡとして記憶されている。
【００３４】
ここで、蓄電池ＢＣの許容容量とは、当該用途における蓄電池ＢＣの充電可能容量の下限しきい値である。具体的には、蓄電池用途情報ＵＡにおいて、用途「長期停電バックアップ用」には、許容容量「８０％」が対応付けられている。この許容容量８０％とは、蓄電池ＢＣの初期出荷状態における充電可能容量を１００％とした場合の、「長期停電バックアップ用」についての充電可能容量の下限値である。つまり、長期停電バックアップ用の許容容量８０％とは、蓄電池ＢＣの充電可能容量が初期出荷状態の８０％にまで低下すると、この蓄電池ＢＣを長期停電バックアップ用としては利用できないことを示す。これと同様に、ピークカット用の許容容量７０％とは、蓄電池ＢＣの充電可能容量が初期出荷状態の７０％にまで低下すると、この蓄電池ＢＣをピークカット用としては利用できないことを示す。短期停電バックアップ用の許容容量６０％とは、蓄電池ＢＣの充電可能容量が初期出荷状態の６０％にまで低下すると、この蓄電池ＢＣを短期停電バックアップ用としては利用できないことを示す。瞬時停電補償用の許容容量５０％とは、蓄電池ＢＣの充電可能容量が初期出荷状態の５０％にまで低下すると、この蓄電池ＢＣを瞬時停電補償用としては利用できないことを示す。
【００３５】
図６に戻り、蓄電池用途選択装置１０は、蓄電池運転履歴取得部１０１と、現用途抽出部１０２と、運転状況抽出部１０３と、用途選択部１０４と、用途情報出力部１０５とを備える。
蓄電池運転履歴取得部１０１は、蓄電池情報取得装置２０が取得した蓄電池ＩＤに基づいて、蓄電池運転履歴記憶部３０を検索する。この一例では、蓄電池情報取得装置２０は、蓄電池ＩＤ「Ｂ００１」を取得する。この場合、蓄電池運転履歴取得部１０１は、蓄電池ＩＤ「Ｂ００１」を検索キーとして、蓄電池運転履歴情報ＯＨを検索し、蓄電池ＩＤ「Ｂ００１」に関連づけられている蓄電池運転履歴情報ＯＨの各情報を取得する。
【００３６】
現用途抽出部１０２は、蓄電池運転履歴取得部１０１が取得する蓄電池運転履歴情報ＯＨから、現用途を抽出する。この一例では、現用途抽出部１０２は、蓄電池ＩＤ「Ｂ００１」に関連づけられている現用途「長期停電バックアップ」を取得する。
【００３７】
運転状況抽出部１０３は、蓄電池運転履歴取得部１０１が取得するＯＨから、蓄電池ＢＣの運転状況を示す情報を取得する。この一例では、運転状況抽出部１０３は、蓄電池ＩＤ「Ｂ００１」に関連づけられている現用途での運転時間「１０００」と、総運転時間「１０００」と、運転環境温度「３０」と、充放電サイクル数「０（フロート）」と、出力電圧変化量「−１０％」とを、運転状況を示す情報として抽出する。
【００３８】
用途選択部１０４は、現用途抽出部１０２が抽出する蓄電池ＢＣの現用途と、運転状況抽出部１０３が抽出する蓄電池ＢＣの運転状況を示す情報と、蓄電池用途記憶部４０に記憶されている蓄電池用途情報ＵＡとに基づいて、蓄電池ＢＣの新用途を選択する。この用途選択部１０４が行う蓄電池ＢＣの新用途を選択する手順の具体例について説明する。
【００３９】
この具体例では、用途選択部１０４は、現用途「長期停電バックアップ」を、蓄電池ＢＣの現用途として取得する。用途選択部１０４は、取得した現用途「長期停電バックアップ」を検索キーにして、蓄電池用途記憶部４０の蓄電池用途情報ＵＡを検索する。用途選択部１０４は、充放電深度「１０％（フロート）」と、許容容量「８０％」とを、蓄電池用途情報ＵＡの検索の結果として取得する。
【００４０】
この充放電深度「１０％（フロート）」とは、現用途が「長期停電バックアップ」の場合には、蓄電池ＢＣはフロート充電方式によって充電されており、充放電深度が高々１０％であることを示す。蓄電池ＢＣがフロート充電方式によって充電される場合には、電池ＢＣの充電可能容量の変化の主要因は、運転時間及び運転環境温度である。
【００４１】
用途選択部１０４は、現用途での運転時間「１０００」と、運転環境温度「３０」とを、運転状況を示す情報として取得する。用途選択部１０４は、取得した運転時間及び運転環境温度に基づいて、蓄電池ＢＣの充電可能容量の変化の程度を推定する。この用途選択部１０４による蓄電池ＢＣの充電可能容量の変化の程度の推定には、既知の手法が用いられる。
【００４２】
用途選択部１０４は、推定の結果得られる蓄電池ＢＣの充電可能容量と、蓄電池用途情報ＵＡが示す許容容量「８０％」とを比較する。用途選択部１０４は、推定した充電可能容量が、許容容量を上回る場合には、用途の変更が必要でないと判定する。つまり、この場合、用途選択部１０４は、現用途「長期停電バックアップ」を新用途として選択する。
また、用途選択部１０４は、推定した充電可能容量が、許容容量を下回る場合には、用途の変更が必要であると判定する。ここで、用途選択部１０４は、推定した充電可能容量が、例えば、初期出荷状態の充電可能容量の７５％である場合を一例にして説明する。この場合、用途選択部１０４は、蓄電池用途情報ＵＡにおいて許容容量が７５％以下である用途を検索する。この場合、図８に示す一例では、用途選択部１０４は、用途「ピークカット」、用途「短期停電バックアップ」、用途「瞬時停電補償」を検索結果として取得する。用途選択部１０４は、検索結果として取得された用途を新用途として選択する。ここでは、用途選択部１０４は、検索の結果得られた用途のうち、許容容量が高い用途を新用途として選択する。具体的には、用途選択部１０４は、用途「短期停電バックアップ」を新用途として選択する。
【００４３】
用途情報出力部１０５は、用途選択部１０４が選択した新用途を示す情報を、表示装置５０に出力する。表示装置５０は、用途情報出力部１０５が出力する新用途を示す情報を表示する。また、用途情報出力部１０５は、用途選択部１０４が選択した新用途を示す情報に基づいて、蓄電池運転履歴記憶部３０の蓄電池運転履歴情報ＯＨを更新する。具体的には、用途情報出力部１０５は、蓄電池運転履歴情報ＯＨの蓄電池ＩＤ「Ｂ００１」について、現用途「長期停電バックアップ」を現用途「短期停電バックアップ」に更新する。
【００４４】
［蓄電池用途選択装置１０の動作］
次に、図９を参照して蓄電池用途選択装置１０の動作の一例について説明する。
図９は、本実施形態の蓄電池用途選択装置１０の動作の一例を示す図である。
【００４５】
（ステップＳ１０）蓄電池運転履歴取得部１０１は、蓄電池情報取得装置２０から蓄電池情報を取得する。具体的には、蓄電池運転履歴取得部１０１は、蓄電池ＩＤを取得する。（ステップＳ２０）蓄電池運転履歴取得部１０１は、ステップＳ１０において取得した蓄電池ＩＤに基づいて、蓄電池運転履歴記憶部３０を検索し、蓄電池運転履歴情報ＯＨを取得する。
（ステップＳ３０）現用途抽出部１０２は、ステップＳ２０において取得された蓄電池運転履歴情報ＯＨから、蓄電池ＢＣの現用途を示す情報を取得する（現用途取得ステップ）。（ステップＳ４０）運転状況抽出部１０３は、ステップＳ２０において取得された蓄電池運転履歴情報ＯＨから、蓄電池ＢＣの運転状況を示す情報を取得する。ここで、蓄電池ＢＣの運転状況を示す情報は、用途選択部１０４において、新用途の判定条件として用いられる。つまり、運転状況抽出部１０３は、蓄電池ＢＣの運転状況を示す情報を判定条件として取得する（判定条件取得ステップ）。
【００４６】
（ステップＳ５０）用途選択部１０４は、蓄電池用途記憶部４０の蓄電池用途情報ＵＡと、ステップＳ４０において取得された判定条件とに基づいて、蓄電池ＢＣの新用途を選択する（用途選択ステップ）。
（ステップＳ６０）用途情報出力部１０５は、ステップＳ５０において選択された蓄電池ＢＣの新用途を示す情報を、表示装置５０及び蓄電池運転履歴記憶部３０に出力する。
【００４７】
［用途選択部１０４による新用途選択の詳細］
次に図１０を参照して用途選択部１０４による蓄電池ＢＣの用途選択の詳細について説明する。
図１０は、本実施形態の用途選択部１０４による用途選択の例を示す図である。同図に蓄電池ＢＣの充電可能容量と運転時間との関係を示す充電可能容量波形Ｗ４を示す。蓄電池ＢＣの充電可能容量は、時刻ｔ０の初期出荷状態から運転時間の経過に従って増加する場合がある。蓄電池ＢＣの充電可能容量は、時刻ｔ１において初期出荷状態の８０％まで低下する。図８を参照して説明したように、「長期停電バックアップ」の許容容量は、８０％である。つまり、図１０に示す時刻ｔ０から時刻ｔ１の間は、蓄電池ＢＣを「長期停電バックアップ」に利用することができる。
【００４８】
時刻ｔ１において、用途選択部１０４は、蓄電池ＢＣが「長期停電バックアップ」に利用することができないと判定する。この場合、用途選択部１０４は、この蓄電池ＢＣを、許容容量が「長期停電バックアップ」よりも低い値に設定されている「ピークカット」、「短期停電バックアップ」又は「瞬時停電補償」のいずれかの用途に再利用すると判定する。
【００４９】
ここで、「長期停電バックアップ」は、「ピークカット」、「短期停電バックアップ」又は「瞬時停電補償」に比べ、求められる出力継続時間が長い。用途選択部１０４は、現用途が、求められる出力継続時間が長い用途である場合に、出力継続時間が短い用途を新用途として選択する。つまり、用途選択部１０４は、出力継続時間の長い方から短い方へ順に新用途を選択する。ここで、出力継続時間が短い用途は、出力継続時間が長い用途に比べて、求められる蓄電池ＢＣの残性能が比較的低い。このように構成することにより蓄電池用途選択装置１０は、蓄電池ＢＣの残性能が徐々に低下したとしても、蓄電池ＢＣの再利用の用途の選択肢の幅を広げることができる。
【００５０】
また、「長期停電バックアップ」に用いられる蓄電装置ＥＳＤは、蓄電池ＢＣの直列接続数が、「ピークカット」、「短期停電バックアップ」又は「瞬時停電補償」に用いられる蓄電装置ＥＳＤに比べて多い。用途選択部１０４は、現用途が、蓄電池ＢＣの直列接続数が多い蓄電装置ＥＳＤを用いている場合に、直列接続数が少ない蓄電装置ＥＳＤを用いる用途を新用途として選択する。つまり、用途選択部１０４は、蓄電池ＢＣの直列接続数の多い方から少ない方へ順に新用途を選択する。ここで、蓄電池ＢＣの直列接続数の多い蓄電装置ＥＳＤを用いている場合、残性能の揃った蓄電池ＢＣを多く用意することができる。つまり、蓄電池用途選択装置１０は、残性能の揃った蓄電池ＢＣを、再利用のためのＢＣとして用意することができる。したがって、蓄電池用途選択装置１０によれば、蓄電池ＢＣの再利用の用途の選択肢の幅を広げることができる。
【００５１】
また、ここで、用途選択部１０４は、この蓄電池ＢＣを、「ピークカット」又は「短期停電バックアップ」のいずれかを、新用途として選択する。
上述したように、蓄電池ＢＣが「ピークカット」に利用される場合、この蓄電池ＢＣに対してはサイクル充電方式によって充電される。また、蓄電池ＢＣが「短期停電バックアップ」に利用される場合、この蓄電池ＢＣに対してはフロート充電方式によって充電される。ここで、サイクル充電方式によって充電される蓄電池ＢＣは、充電可能容量が、運転時間、環境温度に加え、充放電サイクル数や、充放電深度によって変化する。つまり、サイクル充電方式によって充電される蓄電池ＢＣは、フロート充電方式によって充電される蓄電池ＢＣに比べ、充電可能容量の推定が難しい。充電可能容量の推定が難しい場合、充電可能容量について十分な余裕度を見込むことが求められる場合がある。この場合には、本来再利用可能な蓄電池ＢＣであっても、充電可能容量の余裕度がなく再利用できないと判定される頻度が上昇してしまう。
【００５２】
そこで、用途選択部１０４は、蓄電池ＢＣの新用途に複数の選択肢がある場合には、現用途に比べて充放電深度の比較的大きい用途を、新用途として選択する。つまり、用途選択部１０４は、充放電深度の比較的小さい用途から、比較的大きい用途へ順に新用途を選択する。
換言すれば、用途選択部１０４は、蓄電池ＢＣの新用途に複数の選択肢がある場合には、充電可能容量の推定が容易な用途を、新用途として選択する。具体的には、用途選択部１０４は、「ピークカット」又は「短期停電バックアップ」のいずれかを選択可能である場合には、充電可能容量の推定パラメータがより少ない「短期停電バックアップ」を、新用途として選択する。
【００５３】
時刻ｔ２において、用途選択部１０４は、蓄電池ＢＣの充電可能容量が「ピークカット」又は「短期停電バックアップ」のいずれかを選択可能であると判定する。ここで、用途選択部１０４は、現用途の「短期停電バックアップ」をそのまま新用途として選択してもよいし、「ピークカット」を新用途として選択してもよい。ここで、用途選択部１０４は、充電可能容量の推定パラメータがより少ない「短期停電バックアップ」を時刻ｔ１において選択したことにより、時刻ｔ２において、充電可能容量の推定をより容易に行うことが可能になる。つまり、用途選択部１０４は、充電可能容量の推定パラメータが少ない順に新用途を選択する。このように構成することにより、蓄電池用途選択装置１０は、蓄電池ＢＣの再利用の用途の選択肢の幅を広げることができる。
【００５４】
時刻ｔ３において、用途選択部１０４は、蓄電池ＢＣが「ピークカット」又は「短期停電バックアップ」のいずれにも利用することができないと判定する。この場合、用途選択部１０４は、許容容量の最も少ない用途「瞬時停電補償」を、蓄電池ＢＣの新用途として選択する。つまり、用途選択部１０４は、充電可能容量について、許容容量の大きい順に新用途を選択する。このように構成することにより、蓄電池用途選択装置１０は、蓄電池ＢＣの再利用の用途の選択肢の幅を広げることができる。
【００５５】
以上、本発明の実施形態を、図面を参照して詳述してきたが、具体的な構成はこの実施形態に限られるものではなく、本発明の趣旨を逸脱しない範囲で適宜変更を加えることができる。
【００５６】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５７】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００５８】
１…蓄電池用途判定システム、１０…蓄電池用途選択装置、２０…蓄電池情報取得装置、３０…蓄電池運転履歴記憶部、４０…蓄電池用途記憶部、５０…表示装置、１０１…蓄電池運転履歴取得部、１０２…現用途抽出部、１０３…運転状況抽出部、１０４…用途選択部、１０５…用途情報出力部
【図１】
2019175866.tif 000003
【図２】
2019175866.tif 000004
【図３】
2019175866.tif 000005
【図４】
2019175866.tif 000006
【図５】
2019175866.tif 000007
【図６】
2019175866.tif 000008
【図７】
2019175866.tif 000009
【図８】
2019175866.tif 000010
【図９】
2019175866.tif 000011
【図１０】
2019175866.tif 000012